(57)【要約】【課題】  無接点スイッチを用いたフロートスイッチであって、汚濁した液体中や浮遊物を多く含有する液体中でも誤動作のないフロートスイッチの提供を目的とする。【解決手段】  フロート１０の外周部から中心に向けて挿入された筒状の磁石ホルダ１１と、この磁石ホルダ１１の内部に挿入され、フロート１０の昇降にともなう磁石ホルダ１１の傾斜によって、磁石ホルダ１１の一端と他端の間を摺動する磁石体１２と、磁石ホルダ１１の一端に設けられ、前記一端側に移動した磁石体１２の一極と対面するように配置された無接点スイッチ１４と、磁石ホルダ１１の一端に、磁石体１２と無接点スイッチ１４との間に介在するように設けられ、磁石体１２が一端側に移動したときに、磁石体１２と無接点スイッチ１４との間で磁界を遮断することのない緩衝手段１３とを有する構成としてある。【選択図】  図１
2010062128.tif 000002
【特許請求の範囲】
【請求項１】
水槽等に貯留された液体に浮かべられるフロートを有し、液面の昇降に伴う前記フロートの昇降によってスイッチのオン／オフを行うフロートスイッチにおいて、
前記フロートの外周部から前記フロートの中心に向けて挿入された筒状の磁石ホルダと、
この磁石ホルダの内部に挿入され、前記フロートの昇降にともなう前記磁石ホルダの傾斜によって、前記磁石ホルダの一端と他端の間を摺動する磁石体と、
前記磁石ホルダの一端に前記磁石体の一方の極に対面するように設けられ、前記磁石体の移動にともなう前記磁石体の磁界の変化によって出力の切り替えを行う無接点スイッチと、
を有することを特徴とするフロートスイッチ。
【請求項２】
前記磁石体を、前記フロートの中央で移動するように配置したことを特徴とする請求項１に記載のフロートスイッチ。
【請求項３】
前記フロートがブロー成形により形成されたフロート本体を有することを特徴とする請求項１又は２に記載のフロートスイッチ。
【請求項４】
前記フロートがフロート本体とこのフロート本体の首部に取り付けられたキャップとを有し、前記フロート本体と前記キャップとを射出成形により一体に形成したことを特徴とする請求項１〜３のいずれかに記載のフロートスイッチ。
【請求項５】
前記磁石ホルダの一端に、前記磁石体と前記無接点スイッチとの間に介在するように設けられ、前記磁石体が前記一端側に移動したときに、前記磁石体と前記無接点スイッチとが当接しないようにする緩衝手段を設けたことを特徴とする請求項１〜４のいずれかに記載のフロートスイッチ。
【請求項６】
前記フロートの外周部に形成した凸部の孔内に前記無接点スイッチを収容し、前記孔内に封止樹脂を充填したことを特徴とする請求項１〜５のいずれかに記載のフロートスイッチ。
【請求項７】
前記磁石ホルダの内径と前記磁石体の外径とを同一に形成し、前記磁石ホルダの内周面及び前記磁石ホルダの内周面に摺接する前記磁石体の外周面の少なくとも一方に、平滑仕上げ処理を施したことを特徴とする請求項１〜６のいずれかに記載のフロートスイッチ。
【請求項８】
前記磁石ホルダの一端及び他端の少なくとも一方に、前記磁石体の密着を防止する密着防止手段を設けたことを特徴とする請求項１〜７のいずれかに記載のフロートスイッチ。
【発明の詳細な説明】
【技術分野】
【０００１】
本発明は、水槽等に貯留された液体の液面のレベルを検出するフロートスイッチに関する。
【背景技術】
【０００２】
この種のフロートスイッチとしては、例えば、本願出願人による特許文献１に記載のものが知られている。
この文献に記載のフロートスイッチは、フロート内に磁石の摺動案内筒を設け、リードスイッチを収容した筒状のスイッチケースを前記摺動案内筒内に同心状に配置している。そして、前記摺動案内筒と筒状スイッチケースとの間の形成された摺動室で、環状の磁石が摺動できるようにしている。また、環状の磁石は、前記筒状スイッチケースに外嵌されていて、前記筒状スイッチケースの外周面を案内面として摺動する。上記構成のフロートスイッチでは、液面レベルの変化に伴う摺動室の傾きにより、前記磁石が前記筒状スイッチケースに案内されながら摺動して、リードスイッチのＯＮ／ＯＦＦを行う。
【０００３】
ところで、このようなフロートスイッチに使用されているリードスイッチは、磁石の磁力等により金属板を弾性変形させて、その一部を接点に接触させたり離間させたりする有接点のもので寿命が短く、チャタリング等によって誤動作する可能性があり信頼性も低いうえコストも高いという欠点がある。
特許文献２に記載のフロートスイッチは、段落００１０に記載されているように、フロートアーム及びリードスイッチを廃止することにより、省スペース化、コストダウン及び信頼性の向上を図ったフロートスイッチを提供することを目的とするもので、液面に浮かべられ、前記液面レベルの変化に応じて上下動するフロートと、このフロートに収容され、前記フロートとともに、上下動するマグネットと、前記マグネットに対向する対向面を有し、前記マグネットから発生する磁界を集磁する集磁体と、前記集磁体により集磁された磁界を検出する磁界検出素子とを備えた構成となっている。そして、液面レベルの昇降にともなうフロート及び磁石の上下動と、磁石の上下動に伴う磁界の変化とから、液面レベルを検出しようとするものである。
【０００４】
しかし、特許文献２に記載のフロートスイッチは、その図面から明らかなように、フロートガイドに沿って磁石を内蔵するフロートが上下動するタイプのものであるため、フロートガイドの表面に汚れが付着したり、フロートガイドとフロートとの間の隙間に異物を噛んだりしてフロートの動きが悪くなると、正確に液面レベルを計測できなくなるおそれがある。そのため、汚濁した液体中や浮遊物を多く含有する液体中での使用には不向きである。
さらに、特許文献１，２に記載のフロートスイッチは、小型化には限界があるという問題がある。
【特許文献１】特開平０６−３０２２５６号公報
【特許文献２】特開２００３−４５１１号公報
【発明の開示】
【発明が解決しようとする課題】
【０００５】
本発明は、上記の問題に鑑みてなされたもので、無接点スイッチを用いたフロートスイッチであって、チャタリング等による誤作動がなく、汚濁した液体中や浮遊物を多く含有する液体中でも確実に動作する信頼性の高い小型のフロートスイッチを低コストで提供することを目的とする。
【課題を解決するための手段】
【０００６】
上記課題を解決するために、請求項１に記載の発明は、水槽等に貯留された液体に浮かべられるフロートを有し、液面の昇降に伴う前記フロートの昇降によってスイッチのオン／オフを行うフロートスイッチにおいて、前記フロートの外周部から前記フロートの中心に向けて挿入された筒状の磁石ホルダと、この磁石ホルダの内部に挿入され、前記フロートの昇降にともなう前記磁石ホルダの傾斜によって、前記磁石ホルダの一端と他端の間を摺動する磁石体と、前記磁石ホルダの一端に前記磁石体の一方の極に対面するように設けられ、前記磁石体の移動にともなう前記磁石体の磁界の変化によって出力の切り替えを行う無接点スイッチとを有する構成としてある。
この構成によれば、フロートの昇降にともなう磁石ホルダの傾斜の変化により、磁石体が磁石ホルダ内で摺動する。そして、磁石体が磁石ホルダの一端に移動すると、無接点スイッチが磁石体の磁界の変化を検出して、出力の切り替えを行う。
請求項２に記載するように、磁石体は可能な限り前記フロートの中央で移動するように配置するのがよい。このようにすることで、磁石体に対する外界の磁場界の影響を小さくすることができる。
【０００７】
請求項３に記載するように、前記フロートがブロー成形により形成されたフロート本体を有するものとしてもよい。このようなフロート本体は継ぎ目が無く、防水性と耐久性に優れ、かつ、フロート本体の小型化にも有利である。請求項４に記載するように、前記フロートがフロート本体とこのフロート本体の首部に取り付けられたキャップとを有し、前記フロート本体と前記キャップとを射出成形により一体に形成した構成としてもよい。このようにすることで、フロート本体とキャップとの密着性を高め、フロート本体とキャップとの間の防水性と耐久性を高めることができるだけでなく、工程削減によりキャップ付のフロートを低コストで生産することが可能になる。
なお、この場合、キャップをフロート本体と同一の材料で形成することで、より密着性を高めることができる。
【０００８】
また、請求項５に記載するように、記磁石ホルダの一端に、前記磁石体と前記無接点スイッチとの間に介在するように設けられ、前記磁石体が前記一端側に移動したときに、前記磁石体と前記無接点スイッチとが当接しないようにする緩衝手段を設けた構成としてもよい。
このようにすれば、前記緩衝手段により、磁石体が一端側に移動しても無接点スイッチに直接衝突することがないので、無接点スイッチを破損又は損傷させることもない。なお、緩衝手段は、磁石体と無接点スイッチとの間の磁界を遮断しないものがよい。
【０００９】
請求項６に記載の発明は、前記フロートの外周部に形成した凸部の孔内に前記無接点スイッチを収容し、前記孔に封止樹脂を充填した構成としてある。
前記凸部は、フロートの外側に突出する凸部であってもよいし、フロートの内側に突出する凸部であってもよい。無接点スイッチを封止樹脂によって被覆することで、フロートスイッチの耐久性をさらに向上させることができる。
【００１０】
請求項７に記載の発明は、前記磁石ホルダの内径と前記磁石体の外径とを同一に形成し、前記磁石ホルダの内周面及び前記磁石ホルダの内周面に摺接する前記磁石体の外周面の少なくとも一方に、平滑仕上げ処理を施した構成としてある。
このようにすることで、磁石体は磁石ホルダ内でスムースに移動することができ、磁石体が引っ掛かることによる誤動作を無くすことができる。
【００１１】
請求項８に記載の発明は、磁石ホルダの一端及び他端の少なくとも一方に、前記磁石体の密着を防止する密着防止手段を設けた構成としてある。
このように、磁石ホルダの一端又は他端に突起等の密着防止手段を設けることで、磁石体が磁石ホルダの一端又は他端に移動しても、磁石体が磁石ホルダに密着することがなく、誤動作防止することができる。
【発明の効果】
【００１２】
本発明のフロートスイッチは、無接点のスイッチを用いているので、チャタリングによる誤作動がなく、信頼性も高い。また、接点を有していないので寿命も長く、コスト的にも有利である。また、磁石体は、フロート内に設けられた磁石ホルダの内部で摺動するので、汚濁した液体中や浮遊物を多く含有する液体中でも誤動作が少ない。さらに、本発明は、小型のホールＩＣと微小な磁石体とを用いることができるので、フロートスイッチのさらなる小型化が可能である。
また、ａ接点，ｂ接点の切り換えも、水槽中のフロートスイッチを取り替えることなく、回路基板を取り替えることで容易に行える。
【発明を実施するための最良の形態】
【００１３】
以下、本発明の好適な実施形態を、図面を参照しながら詳細に説明する。
図１は、本発明のフロートスイッチの一実施形態にかかり、その構成を説明する断面図である。
【００１４】
フロートスイッチ１は、フロート１０と、このフロート１０の内部に挿入される円筒状の磁石ホルダ１１と、この磁石ホルダ１１内に挿入され、磁石ホルダ１１内で摺動する磁石体１２と、磁石ホルダ１１の一端側に配置された無接点スイッチとしてのホールＩＣ１４等を有している。
【００１５】
球形のフロート１０は、ポリエチレンやポリスチレン等の樹脂をブロー成形することで一体に形成されている。フロート１０の外周部の一部には、首部（凸部）１０ａが突出形成され、この首部１０ａには、後述するホールＩＣ１４を収容するための収納孔１０ｂが形成されている。また、首部１０ａの外周には螺旋部１０ｄが形成されていて、この螺旋部１０ｄに、キャップ１６が螺着される。
収納孔１０ｂの底部には、フロート１０の内部に連通する貫通孔１０ｃが形成され、この貫通孔１０ｃを通して、磁石ホルダ１１がフロート１０の内部に挿入される。
【００１６】
磁石ホルダ１１は、磁石体１２の磁界に影響を与えない樹脂等で形成されている。磁石ホルダ１１は、有底円筒状の本体１１ａと、この本体１１ａの一端側に形成された本体１１ａよりも大径の大径部１１ｂとから構成されている。本体１１ａと大径部１１ｂとは、射出成形等により一体に形成することができる。なお、以下の説明では、磁石ホルダ１１の大径部１１ｂが形成された側を、「基部側」と記載することがある。
【００１７】
本体１１ａは、収納孔１０ｂの底部に形成された貫通孔１０ｃの内径とほぼ同径の外径を有するように形成し、貫通孔１０ｃに嵌め込まれた本体１１ａが、貫通孔１０ｃ内でがたつかないようにするのが好ましい。また、貫通孔１０ｃを螺旋孔として形成し、本体１１ａの外周面に螺旋部を形成して、両者の螺合により磁石ホルダ１１がフロート１０に固定されるようにしてもよい。
磁石ホルダ１１は、貫通孔１０ｃの開口周縁に大径部１１ｂが当接するまでフロート１０の内部に挿入される。ホールＩＣ１４は、リード線１８の先端に接続された状態で大径部１１ｂの底部に配置される。ホールＩＣ１４を収納孔１０ｂ内に配置した後、収納孔１０ｂには封止樹脂１７を充填する。
【００１８】
磁石体１２は円柱状に形成され、Ｓ極を基部側に差し向けた状態で磁石ホルダ１１内に挿入される。磁石体１２が磁石ホルダ１１内でスムースに摺動できるように、磁石体１２の外径は磁石ホルダ１１の内径とほぼ同一に形成するのがよい。また、磁石ホルダ１１の内周面と磁石体１２の外周面との摩擦は可能な限り小さい方がよく、磁石ホルダ１１の内周面及び／又は磁石１２の外周面にテフロン（登録商標）加工等の仕上げ加工を施すのがよい。さらに、磁石ホルダ１１内の空気が、磁石体１２の移動を妨げないように、磁石体１２には、摺動方向と同方向に空気が流通する溝１２ａが形成されている。もちろん、磁石ホルダ１１の内周面に溝を形成するものとしてもよい。
【００１９】
磁石ホルダ１１の底部には、磁石体１２が前記底部に密着しないようにするための突起１５が一つ又は複数の形成されている。また、磁石ホルダ１１の本体１１ａと大径部１１ｂとの間には、基部側に移動した磁石体１２がホールＩＣ１４に衝突しないようにするためのゴム製又は樹脂製の緩衝リング１３が設けられている。
【００２０】
ところで、本発明のフロートスイッチでは、ホールＩＣ１４を用い、かつ、ホールＩＣ１４の極めて近傍位置まで磁石体１２を接近させることができることから、磁石体を用いた従来のフロートスイッチに比して磁力の小さい磁石体を用いることが可能になった。そのため、本発明では、数ｍｍ角といった微小のホールＩＣ１４に対して、これとほぼ同等の大きさを有する微小の磁石体１４を用いることができ、フロートスイッチの飛躍的な小型化に有利である。
【００２１】
図２は、上記構成のフロートスイッチ１の作用を説明する図である。
液面のレベルＳが低いとき（（ａ）の状態のとき）は、磁石ホルダ１１は底部が基部よりも低い傾いた状態にあって、磁石体１２は磁石ホルダ１１の前記底部に位置している。この実施形態では、このときのホールＩＣ１４からの出力を「Ｌ」とする。
液面のレベルＳが上昇し、一定の高さを越える（（ｂ）の状態になる）と、磁石ホルダ１１の底部が基部よりも高くなって、磁石体１２が底部側から基部側に移動する。この実施形態では、このときのホールＩＣ１４からの出力を「Ｈ」とする。
すなわち、液面Ｓのレベルの変化にともなう磁石体１２の移動によって、ホールＩＣ１４からの出力が「Ｌ」と「Ｈ」との間で切り替わるわけである。
【００２２】
図３は、この実施形態のフロートスイッチ１を、水槽の液面監視装置に適用した場合の一例にかかり、（ａ）は前記液面監視装置の回路の一例、（ｂ）は（ａ）の回路構成を説明する概略図、（ｃ）は（ａ）（ｂ）の回路における入出力の関係を説明する図である。
この実施形態の液面監視装置は、上下に配置された二つのフロートスイッチ１を用い、液面Ｓのレベルが一定よりも高くなったときにポンプを駆動して排水を行い、液面Ｓのレベルが一定よりも低くなったときにポンプの駆動を停止させるものである。この液面監視装置の回路の基本構成は、図３（ｂ）に示すように、ＯＲ回路２ａとＡＮＤ回路２ｂとを組み合わせたもので、その一部に自己保持回路が形成されているものである。
【００２３】
液面Ｓのレベルが一定より低い位置にあるとき、上下二つのフロートスイッチ１のホールＩＣ１４からの出力はともに「Ｌ」である。このとき、この回路からの出力は「Ｌ」であり、ポンプは「ＯＦＦ」（ポンプ非駆動）である。
液面Ｓのレベルが上昇して、下方のフロートスイッチ１が検出すべき液面の高さが一定を越えると、下方のフロートスイッチ１からの出力は「Ｈ」に切り替わる。しかし、この状態では、上方のフロートスイッチ１からの出力が「Ｌ」の状態であるので、回路の出力は「Ｌ」のままである。
【００２４】
液面Ｓのレベルがさらに上昇して、上方のフロートスイッチ１が検出すべき液面の高さが一定を越えると、上下両方のフロートスイッチ１からの出力がともに「Ｈ」になり、回路からの出力は「Ｈ」に切り替わる。これにより、ポンプの駆動が開始（「ＯＮ」）され、排水が行われる。この後、液面Ｓのレベルが下降して上方のフロートスイッチ１の出力が「Ｌ」になっても、自己保持回路の作用により、回路からの出力「Ｈ」が維持され、ポンプの駆動が継続される。ポンプの駆動が停止（ＯＦＦ）されるのは、液面Ｓのレベルがさらに下降して上下両方のフロートスイッチ１からの出力がともに「Ｌ」になったときである。
なお、上記の説明は水槽内の液面のレベルが一定を越えたときに排水を行う場合であるが、液面レベルが一定以下になったときに給水を行う場合も、基本的には上記と同様である。この場合は、ポンプ駆動のＯＮ／ＯＦＦが上記とは逆になる。
【００２５】
本発明のフロートスイッチの形態は上記のものに限られない。
図４は、本発明のフロートスイッチの他の実施形態にかかり、その構成を説明する断面図である。
図４のフロートスイッチの基本形状は、本願出願人による特許文献１に記載のフロートスイッチと同じである。
【００２６】
フロートスイッチ３は、二つの分割体からなるフロート３０と、このフロート３０の内部に挿入された発泡ポリエチレン等からなる芯体３０ａと、フロート３０の内部に挿入され、樹脂で形成された有底円筒状の磁石ホルダ３１と、この磁石ホルダ３１の内部に挿入され、磁石ホルダ３１の内部で摺動自在な磁石体３２と、磁石ホルダ３１の一端に取り付けられた緩衝手段としての樹脂製のカバー３３と、このカバー３３の収納孔３３ａの底部に配置されたホールＩＣ３４と、このホールＩＣ３４の基板にその先端が当接するとともに、リード線３８を支持する凸部としての支持体３５と、この支持体３５の孔３５ａ内に充填され、ホールＩＣ３４を保護する封止樹脂３７等を有している。
【００２７】
この実施形態のフロートスイッチ３は、磁石ホルダ３１，カバー３３及び支持体３５がフロートスイッチ３の内部に挿入されていて、リード線３８以外はフロートスイッチ３の外側には突出しない構成である。また、特に図示及び詳細な説明は省略するが、この実施形態のフロートスイッチ３においても、磁石ホルダ３１内における磁石体３２の摺動をスムースにするために、磁石ホルダ３１の孔内周面や磁石体３２に空気流通用の溝を設けたり、磁石ホルダ３１の底部に突起（密着防止手段）を設けるとよい。
なお、この実施形態において、磁石体３２は、可能な限りフロート本体３０ａの中央で摺動するように配置するのが好ましい。このようにすることで、外界からの磁界の影響を最小にすることができる。
【００２８】
図５は、本発明のフロートスイッチのさらに他の実施形態にかかり、その構成を説明する断面図である。
図５のフロートスイッチ４のフロート４０は、フロート本体４０ａとこのフロート本体４０ａの首部４０ｃに取り付けられたキャップ４０ｂとを有している。先の実施形態と同様に、フロート本体４０ａはブロー成形により形成するのが好ましい。また、フロート本体４０ａの首部４０ｃに、キャップ４０ｂを射出成形により形成することで、フロート本体４０ａに対して密着性の高いキャップ４０ｂを備えたフロート４０を低コストで得ることができる。また、キャップ４０ｂの材質をフロート本体４０ａと同一とすることで、さらにフロート本体４０ａに対するキャップ４０ｂの密着性を高めることができる。
【００２９】
フロート４０の内部には、首部４０ｃからフロート本体４０ａの底部に向けて磁石ホルダ４１が挿入されている。この磁石ホルダ４１には、収納孔４１ａと摺動孔４１ｂとが、フロート本体４０ａへの磁石ホルダ４１の挿入方向と同方向に、かつ、平行に形成されている。
そして、磁石体４２が摺動孔４１ｂの内部に摺動自在に挿入される。磁石体４２は、可能な限りフロート本体４０ａの中央で摺動するように配置するのが好ましい。
ホールＩＣ４４は、筒状の支持体４５の先端に形成された突起部分４５ｂの孔底に固定されている。そして、突起部分４５ｂが収納孔４１ａに収納される。ホールＩＣ４４に接続されたリード線４８は、支持体４５の孔４５ａ及びキャップ４０ｂを通ってフロート４０から導出される。支持体４５の孔４５ａには封止樹脂４７が充填されていて、ホールＩＣ４４がシールされる。
先の実施形態のフロートスイッチ１，３では、ホールＩＣの検出面に対して直交する軸線方向に磁石体１２，３２が移動することで、ホールＩＣ１４，３４からの出力が切り換えられるが、この実施形態のフロートスイッチ４では、前記検出面と平行な面内でホールＩＣ４４が進退移動することで、ホールＩＣ４４からの出力が切り換えられる。
【００３０】
この実施形態のフロートスイッチ４においても、磁石ホルダ４１及び支持体４５がフロート４０の内部に挿入されていて、リード線４８以外はフロートスイッチ４の外側には突出しない構成である。また、特に図示及び詳細な説明は省略するが、この実施形態のフロートスイッチ４においても、摺動孔４１ｂ内における磁石体４２の摺動をスムースにするために、摺動孔４１ｂの内周面や磁石体４２に空気流通用の溝を設けたり、摺動孔４１ｂの底部に突起（密着防止手段）を設けるとよい。
【００３１】
図６及び図７は、本発明のフロートスイッチの適用例の他の実施形態にかかり、図６はフロートスイッチを、水槽の液面監視装置に適用した場合の入出力の関係を示す一覧表、図７は、図６の結果を実現するための回路の一例である。
なお、図６の表におけるＬ，Ｈ及びこれらのタイミング等については、図３の説明を援用するものとして詳細な説明は省略する。
この実施形態の液面監視装置は、上中下の三カ所に配置された三つのフロートスイッチを用いる。フロートスイッチは、上記三つの実施形態のフロートスイッチ１，３，４のいずれであってもよい。そして、液面のレベルが一定よりも低くなったときに、タンク内から液体を排出するポンプの駆動を停止させ、液面のレベルが一定よりも高くなったときにポンプを駆動させて液体の排出を再開させる。
【００３２】
本発明のフロートスイッチは、小型のホールＩＣと微小な磁石体とを用いることができるので、フロートスイッチのさらなる小型化が可能である。また、磁石がフロートの可能な限り中央で摺動するように配置することで、フロートスイッチを小型にしても、外界の磁界の影響を小さくして、長期に亘って正確な動作を得ることができる。
例えば、従来形のフロートスイッチにおいて、フロートの直径６２．５ｍｍ、長さ９０ｍｍ程度、磁石の直径２０ｍｍ，長さ８ｍｍ程度であったものを、本発明のフロートスイッチでは、フロートの直径４５ｍｍ、長さ６５ｍｍ程度、磁石の直径４ｍｍ、長さ８ｍｍ程度まで小型化することができた。
【００３３】
本発明の好適な実施形態について説明したが、本発明は上記の実施形態に限定されるものではない。
例えば、上記の第一の実施形態では、フロート１０の外周部側に位置する磁石ホルダ１１の一端にホールＩＣ１４を設けているが、フロート１０の中心側に位置する磁石ホルダ１１の他端にホールＩＣ１４を設けてもよい。
【００３４】
また、緩衝手段の一例として、磁石ホルダ１１の本体１１ａと大径部１１ｂとの間に設けた緩衝リングを一例に挙げたが、磁石ホルダ１１の基部側に移動した磁石体１２がホールＩＣ１４に衝突しないようにし、かつ、磁石体１２の磁界を妨げないものであれば、緩衝手段は上記のものに限られない。例えば、本体１１ａの基部側の一端に嵌め込んだ板状のものであってもよいし、本体１１ａ又は大径部１１ｂの内側に形成した突起状のものであってもよい。
また、上記の説明で磁石ホルダ１１，３１は円筒状のものとして説明したが、磁石ホルダ１１，３１は楕円筒状又は角筒状のものであってもよい。
さらに、無接点スイッチとして、ホールＩＣを例に挙げて説明したが、磁石体の磁界の変化によって出力の切り替えを行うものであれば、他の無接点スイッチを用いてもよい。
また、暗所でもフロート１０，３０，４０を視認することができるように、フロート１０，３０，４０の内部にＬＥＤ等の発光体を設けたり、フロート１０，３０，４０の表面に蛍光剤を塗布する等してもよい。
【産業上の利用可能性】
【００３５】
本発明は、水（汚水を含む），湯、油、薬品等の液体の液面レベルの検出に用いられるあらゆる種類のフロートスイッチに広範に適用が可能である。
【図面の簡単な説明】
【００３６】
【図１】本発明のフロートスイッチの一実施形態にかかり、（ａ）はフロートスイッチの断面図、（ｂ）は（ａ）のI-I方向の拡大断面図である。
【図２】図１のフロートスイッチの作用を説明する図で、（ａ）は液面レベルが低い場合、（ｂ）は液面レベルが高い場合を示している。
【図３】フロートスイッチを水槽の液面監視装置に適用した場合の一例にかかり、（ａ）は前記液面監視装置の回路の一例、（ｂ）は（ａ）の回路構成を説明する概略図、（ｃ）は（ａ）（ｂ）の回路における入出力の関係を説明する図である。
【図４】本発明のフロートスイッチの他の実施形態にかかり、その構成を説明する断面図である。
【図５】本発明のフロートスイッチのさらに他の実施形態にかかり、その構成を説明する断面図である。
【図６】本発明のフロートスイッチの適用例の他の実施形態にかかり、フロートスイッチを、水槽の液面監視装置に適用した場合の入出力の関係を示す一覧表である。
【図７】本発明のフロートスイッチの適用例の他の実施形態にかかり、図６の結果を実現するための回路構成の一例である。
【符号の説明】
【００３７】
１，３，４：フロートスイッチ
１０，３０，４０：フロート
１１，３１，４１：磁石ホルダ
１２，３２，４２：磁石体
１２ａ：溝
１３：緩衝リング（緩衝手段）
１４，３４，４４：ホールＩＣ（無接点スイッチ）
１５：突起
【図１】
2010062128.tif 000003
【図２】
2010062128.tif 000004
【図３】
2010062128.tif 000005
【図４】
2010062128.tif 000006
【図５】
2010062128.tif 000007
【図６】
2010062128.tif 000008
【図７】
2010062128.tif 000009